(57)【要約】【課題】  低コスト、かつ簡単な回路で定着ユニット、あるいは電源ユニット、あるいはその双方を検知することができる画像形成装置を提供する。【解決手段】  着脱可能で仕向地別に複数の種類を持つ定着ユニット２と、電源ユニット３と、定着ユニット２の電源スイッチング制御を行う制御ユニット１とを備えた画像形成装置において、定着ユニット２が有する識別抵抗２３と、制御ユニット１が有するプルアップ抵抗１１との分圧電圧を読み取ることで、定着ユニット２の識別検知及び有無検知を行う。【選択図】  図１
2006010881.tif 000002
【特許請求の範囲】
【請求項１】
着脱可能で仕向地別に複数の種類を持つ定着ユニットと、電源ユニットと、定着ユニットの電源スイッチング制御を行う制御ユニットとを備えた画像形成装置において、前記定着ユニットが有する識別抵抗と前記制御ユニットが有するプルアップ抵抗との分圧電圧を読み取ることで、定着ユニットの識別検知、及び、有無検知を行うことを特徴とする画像形成装置。
【請求項２】
着脱可能で仕向地別に複数の種類を持つ定着ユニットと、仕向地別に複数の種類を持つ電源ユニットと、前記定着ユニットの電源スイッチング制御を行う制御ユニットとを備えた画像形成装置において、前記定着ユニットが有する識別抵抗と前記電源ユニットが有する識別抵抗と前記制御ユニットが有するプルアップ抵抗との分圧電圧を読み取ることで、定着ユニットと電源ユニットの識別検知、及び、有無検知を行うことを特徴とする画像形成装置。
【請求項３】
仕向地別に複数の種類を持つ電源ユニットと、該電源ユニットの仕向地に応じた制御を行う制御ユニットとを備えた画像形成装置において、前記電源ユニットが有する識別抵抗と前記制御ユニットが有するプルアップ抵抗との分圧電圧を読み取ることで、電源ユニットの識別検知、及び、有無検知を行うことを特徴とする画像形成装置。
【発明の詳細な説明】
【技術分野】
【０００１】
本発明は、画像形成装置に関し、特に定着ユニットを備えた画像形成装置のユニット識別検知に関する。
【背景技術】
【０００２】
図４は従来例に係る画像形成装置のブロック図である。画像形成装置は、制御ユニット１と、この制御ユニット１によって制御される定着ユニット２及び電源ユニット３を備えている。着脱可能な定着ユニット２は、定着ヒータ２１、定着ユニット２の識別を行うためのジャンパーハーネス２２を有する。ジャンパーハーネス２２は、定着ユニット２の種別に応じて接続先（ａ、ｂ、ｃ）が異なるようにあらかじめ設定されている。電源ユニット３は、定着ヒータ２１のＯＮ／ＯＦＦを行う電源ユニットスイッチング手段３１を有する。
この画像形成装置の場合、定着ユニット２の検知信号Ａ〜Ｃの論理レベルを検知することで、接続されている定着ユニット２の識別検知、及び、有無検知を行うことが可能である（特許文献１参照）。
【特許文献１】特開平１１−０８４９４３号公報
【発明の開示】
【発明が解決しようとする課題】
【０００３】
しかしながら、上記従来技術においては、定着ユニット識別手段により接続される定着ユニットを識別可能であるが、識別に使用する信号の本数が定着ユニットの種類＋１本必要となるため、定着ユニットの種類が多くなると識別信号の本数も多くなる分コストデメリットが生じる。
また、電源ユニットの識別を行っておらず、仮に、定着ユニットの識別方式と同じ方式で電源ユニットの識別を行ったとしても、電源ユニットとの種類が多くなると識別信号の本数も多くなる分コストデメリットが生じる。
本発明は、低コスト、かつ簡単な回路で定着ユニット、あるいは電源ユニット、あるいはその双方を検知することができる画像形成装置を提供することを目的とする。
【課題を解決するための手段】
【０００４】
上記目的を達成するために、請求項１記載の発明は、着脱可能で仕向地別に複数の種類を持つ定着ユニットと、電源ユニットと、定着ユニットの電源スイッチング制御を行う制御ユニットとを備えた画像形成装置において、定着ユニットが有する識別抵抗と、制御ユニットが有するプルアップ抵抗との分圧電圧を読み取ることで、定着ユニットの識別検知、及び、有無検知を行う画像形成装置を最も主要な特徴とする。
請求項２記載の発明は、着脱可能で仕向地別に複数の種類を持つ定着ユニットと、仕向地別に複数の種類を持つ電源ユニットと、定着ユニットの電源スイッチング制御を行う制御ユニットとを備えた画像形成装置において、定着ユニットが有する識別抵抗と電源ユニットが有する識別抵抗と制御ユニットが有するプルアップ抵抗との分圧電圧を読み取ることで、定着ユニットと電源ユニットの識別検知、及び、有無検知を行う画像形成装置を最も主要な特徴とする。
請求項３記載の発明は、仕向地別に複数の種類を持つ電源ユニットと、電源ユニットの仕向地に応じた制御を行う制御ユニットとを備えた画像形成装置において、電源ユニットが有する識別抵抗と制御ユニットが有するプルアップ抵抗との分圧電圧を読み取ることで、電源ユニットの識別検知、及び、有無検知を行う画像形成装置を最も主要な特徴とする。
【発明の効果】
【０００５】
本発明によれば、定着ユニットが有する識別抵抗と制御ユニットが有するプルアップ抵抗との分圧電圧を読み取ることで、定着ユニットの識別検知、及び、有無検知が、低コスト、かつ簡単な回路で実現可能である。
また、定着ユニットが有する識別抵抗と電源ユニットが有する識別抵抗と制御ユニットが有するプルアップ抵抗との分圧電圧を読み取ることで、定着ユニットと電源ユニットの識別検知、及び、有無検知が、低コスト、かつ簡単な回路で実現可能である。
さらには、電源ユニットが有する識別抵抗と制御ユニットが有するプルアップ抵抗との分圧電圧を読み取ることで、電源ユニットの識別検知、及び、有無検知が、低コスト、かつ簡単な回路で実現可能である。
【発明を実施するための最良の形態】
【０００６】
以下、図面を用いて本発明の実施形態について説明する。
図１は本発明の第１の実施形態に係る画像形成装置のブロック図である。画像形成装置は、制御ユニット１と、この制御ユニット１によって制御される定着ユニット２及び電源ユニット３を備えている。
制御ユニット１は、プルアップ抵抗１１を有する。着脱可能な定着ユニット２は、定着ヒータ２１、定着ユニット２の識別を行うための識別抵抗２３を有する。識別抵抗２３は、定着ユニット２の種別に応じて抵抗値が異なるようにあらかじめ設定されている。電源ユニット３は、定着ヒータ２１のＯＮ／ＯＦＦを行う電源ユニットスイッチング手段３１を有する。
第１の実施形態に係る画像形成装置の場合、制御ユニット１に備えられたプルアップ抵抗１１と定着ユニット２の識別抵抗２３との分圧により、接続される定着ユニット２の種類によって検知信号のアナログ電圧レベルが変化する。
従って、この検知信号のアナログ電圧レベルを、図示を省略したＡＤコンバータで検出することで、接続されている定着ユニット２の識別検知、及び、有無検知を行うことが可能となる。図４に示す従来例と比較して、定着ユニット識別のための信号本数が減っていることがわかる。
【０００７】
図２は本発明の第２の実施形態に係る画像形成装置のブロック図である。画像形成装置は、制御ユニット１と、この制御ユニット１によって制御される定着ユニット２及び電源ユニット３を備えている。
制御ユニット１は、プルアップ抵抗１１を有する。着脱可能な定着ユニット２は、定着ヒータ２１、定着ユニット２の識別を行うための識別抵抗２３を有する、識別抵抗２３は、定着ユニット２の種別に応じて抵抗値が異なるようにあらかじめ設定されている。電源ユニット３は、定着ヒータ２１のＯＮ／ＯＦＦを行う電源ユニットスイッチング手段３１、電源ユニット３の識別を行うための識別抵抗３２を有する。識別抵抗３２は、電源ユニット３の種別に応じて抵抗値が異なるようにあらかじめ設定されている。
第２の実施形態に係る画像形成装置の場合、制御ユニット１に備えられたプルアップ抵抗１１と定着ユニット２の識別抵抗３３と電源ユニット３の識別抵抗３２との分圧により、接続される定着ユニット２と電源ユニット３の種類によって検知信号のアナログ電圧レベルが変化する。
従って、この検知信号のアナログ電圧レベルを、図示を省略したＡＤコンバータで検出することで、接続されている定着ユニット２と電源ユニット３の識別検知、及び、有無検知を行うことが可能となる。
【０００８】
図３は本発明の第３の実施形態に係る画像形成装置のブロック図である。画像形成装置は、制御ユニット１と、この制御ユニット１によって制御される電源ユニット３を備えている。
制御ユニット１は、プルアップ抵抗１１を有する。電源ユニット３は、電源ユニット３の識別を行うための識別抵抗３２を有する。識別抵抗３２は、電源ユニット３の種別に応じて抵抗値が異なるようにあらかじめ設定されている。
第３の実施形態に係る画像形成装置の場合、制御ユニット１に備えられたプルアップ抵抗１１と電源ユニット３の識別抵抗３２との分圧により、接続される電源ユニット３の種類によって検知信号のアナログ電圧レベルが変化する。
従って、この検知信号のアナログ電圧レベルを、図示を省略したＡＤコンバータで検出することで、接続されている電源ユニット３の識別を行うことが可能となる。
【図面の簡単な説明】
【０００９】
【図１】本発明の第１の実施形態に係る画像形成装置のブロック図である。
【図２】本発明の第２の実施形態に係る画像形成装置のブロック図である。
【図３】本発明の第３の実施形態に係る画像形成装置のブロック図である。
【図４】従来例に係る画像形成装置のブロック図である。
【符号の説明】
【００１０】
１  制御ユニット
２  定着ユニット
３  電源ユニット
１１  プルアップ抵抗
２１  定着ヒータ
２３  識別抵抗
３１  電源ユニットスイッチング手段
【図１】
2006010881.tif 000003
【図２】
2006010881.tif 000004
【図３】
2006010881.tif 000005
【図４】
2006010881.tif 000006